(57)【要約】【課題】フィルタの長寿命化を図ることができると共に、所定物質の含有率の低い外気を利用して空調運転を行うことが可能な空調機の外気導入装置を提供する。【解決手段】外気導入装置１００は、給気加湿ホース６ｃ、取得部１１６、第１フィルタ１１１、第２フィルタ１１２、及び切り換え制御部１１７を備える。給気加湿ホース６ｃは、室内機ケーシング２１内部に外気を導入する。取得部１１６は、外気に含まれる所定物質に関する物質情報を取得する。第２フィルタ１１２は、第１フィルタ１１１よりも所定物質の除去能力が高い。切り換え制御部１１７は、取得部１１６が取得した物質情報に基づいて、第１状態と第２状態とを切り換える切り換え制御を行う。第１状態は、給気加湿ホース６ｃに流入された外気が、第１フィルタ１１１を介して室内機ケーシング２１の内部に導入される状態である。第２状態は、外気が、第２フィルタ１１２を介して室内機ケーシング２１の内部に導入される状態である。【選択図】図５
2010139190.tif 000002
【特許請求の範囲】
【請求項１】
外気を利用する空調運転を行うことが可能な空調機の外気導入装置（１００，２００）であって、
前記空調機の本体（２１）内部に外気を導入する外気導入流路（６ｃ，２０６ｃ）と、
外気に含まれる所定物質に関する物質情報を取得する取得部（１１６，２１０）と、
第１フィルタ（１１１，２１１）と、
前記第１フィルタ（１１１，２１１）よりも前記所定物質の除去能力の高い第２フィルタ（１１２，２１２）と、
前記取得部（１１６，２１０）が取得した前記物質情報に基づいて、前記外気導入流路（６ｃ，２０６ｃ）に流入された外気が前記第１フィルタ（１１１，２１１）を介して前記空調機の本体（２１）内部に導入される第１状態と、外気が前記第２フィルタ（１１２，２１２）を介して前記空調機の本体（２１）内部に導入される第２状態とを切り換える切り換え制御部（１１７，２１７）と、
を備える、空調機の外気導入装置（１００，２００）。
【請求項２】
前記物質情報は、外気における前記所定物質の含有率（ｘ）であって、
前記切り換え制御部（１１７，２１７）は、
前記所定物質の含有率（ｘ）が第１所定値（α）よりも大きい場合、前記第２状態に切り換える制御を行い、
前記所定物質の含有率（ｘ）が前記第１所定値（α）よりも小さい場合、前記第１状態に切り換える制御を行う、
請求項１に記載の空調機の外気導入装置（１００，２００）。
【請求項３】
前記第１フィルタ（１１１）及び前記第２フィルタ（１１２）を移動させることが可能なフィルタ駆動部（１１４）、
を更に備え、
前記切り換え制御部（１１７）は、前記物質情報に基づいて、前記外気導入流路（６ｃ）に前記第１フィルタ（１１１）及び前記第２フィルタ（１１２）のいずれかが配置されるように、前記フィルタ駆動部（１１４）を制御する、
請求項１または２に記載の空調機の外気導入装置（１００）。
【請求項４】
前記外気導入流路（２０６ｃ）は、前記第１フィルタ（２１１）が配置された第１流路（２０６ｃａ）と前記第２フィルタ（２１２）が配置された第２流路（２０６ｃｂ）とを有し、
前記切り換え制御部（２１７）は、前記物質情報に基づいて、外気が前記第１流路（２０６ｃａ）及び前記第２流路（２０６ｃｂ）のいずれかを介して前記空調機の本体（２１）内部に導入されるように、流路切換制御を行う、
請求項１または２に記載の空調機の外気導入装置（２００）。
【請求項５】
前記物質情報は、外気における前記所定物質の含有率（ｘ）であって、
前記切り換え制御部（１１７，２１７）は、前記所定物質の含有率（ｘ）が第２所定値（β）よりも大きい第１条件、及び外気の湿度（ｙ）が第３所定値（γ）以上である第２条件、の少なくとも１つが満たされた場合、前記空調機の本体内部への外気の導入を停止させる、
請求項１〜４のいずれかに記載の空調機の外気導入装置（１００，２００）。
【請求項６】
前記外気導入流路（６ｃ）上に設けられ、前記物質情報を検知する検知部（１１０）、
を更に備え、
前記取得部（１１６）は、前記検知部（１１０）から前記物質情報を取得する、
請求項１〜５のいずれかに記載の空調機の外気導入装置（１００）。
【請求項７】
前記取得部（２１０）は、
通信ネットワーク（２２０）と接続されており、
前記通信ネットワーク（２２０）を介して外部装置（２２１）から前記物質情報を取得する、
請求項１〜５のいずれかに記載の空調機の外気導入装置（２００）。
【請求項８】
前記空調運転は、外気を主として利用して冷房運転を行う外気冷房運転、または外気を室内へと吹き出させる換気運転である、
請求項１〜７のいずれかに記載の空調機の外気導入装置（１００，２００）。
【発明の詳細な説明】
【技術分野】
【０００１】
本発明は、空調機の外気導入装置、特に、外気を利用する空調運転を行うことが可能な空調機の外気導入装置に関する。
【背景技術】
【０００２】
従来より、建物外から外気を導入するための外気導入流路を有し、導入した外気を建物内の空気調和に用いる空調運転を行うことが可能な空調機が知られている。しかしながら、外気には、花粉、黄砂、大気汚染物質等の所定物質が含まれている場合があり、このような外気がそのままの状態で空調機の本体内部に導入されると、所定物質を含んだ状態の外気が空調機を介して室内に供給されてしまう恐れがある。
【０００３】
これに対し、特許文献１に開示されているように、所定物質除去用のフィルタを外気導入流路に取り付け、フィルタ通過後の外気を空調機の本体内部に取り込む技術が知られている。
【特許文献１】特開平１１−６６４３号公報
【発明の開示】
【発明が解決しようとする課題】
【０００４】
特許文献１に係る技術では、フィルタは、取り替え可能であるものの、外気導入流路に常に取り付けられた状態にある。そのため、空調機の本体内部には、常にこのフィルタを通過し所定物質が除去された後の外気が導入される。しかしながらその反面、フィルタは、使用回数が多くなるため目詰まりをおこし易く、フィルタ寿命が短くなってしまう。また、所定物質を除去するフィルタは、比較的目の細かい高性能なものであり、高価であるため、フィルタの取り替え回数が多い程ランニングコストがかかってしまう。
【０００５】
そこで、本発明は、フィルタの長寿命化を図ることができると共に、例えば所定物質の含有率の低い外気を利用して空調運転を行うことが可能な空調機の外気導入装置を提供することを目的とする。
【課題を解決するための手段】
【０００６】
発明１に係る空調機の外気導入装置は、外気を利用する空調運転を行うことが可能な空調機の外気導入用の装置である。この外気導入装置は、外気導入流路、取得部、第１フィルタ、第２フィルタ、及び切り換え制御部を備える。外気導入流路は、空調機の本体内部に外気を導入する。取得部は、外気に含まれる所定物質に関する物質情報を取得する。第２フィルタは、第１フィルタよりも所定物質の除去能力が高い。切り換え制御部は、取得部が取得した物質情報に基づいて、第１状態と第２状態とを切り換える。第１状態は、外気導入流路に流入された外気が、第１フィルタを介して空調機の本体内部に導入される状態である。第２状態は、外気が、第２フィルタを介して空調機の本体内部に導入される状態である。
【０００７】
外気に含まれる所定物質としては、花粉や黄砂の他、硫黄酸化物等の大気汚染物質が挙げられ、物質情報としては、所定物質の種類や含有量等が挙げられる。この外気導入装置によると、外気導入流路に流入された外気は、物質情報に基づいて、第１フィルタまたは第１フィルタよりも所定物質の除去能力の高い第２フィルタを通過し、その後空調機の本体内部に導入される。つまり、外気に含まれる所定物質の種類や含有量に応じて、外気は第１フィルタまたは第２フィルタを通過する。従って、外気が所定物質の除去能力の高い第２フィルタを常に通過する場合に比して第２フィルタの長寿命化を図ることができ、フィルタの取り替えによるランニングコストを抑えることができると共に、室内機内部には、所定物質の含有率が低い、または所定物質を含まない外気が導入されるようになる。
【０００８】
発明２に係る空調機の外気導入装置は、発明１に係る空調機の外気導入装置であって、物質情報は、外気における所定物質の含有率である。切り換え制御部は、所定物質の含有率が第１所定値よりも大きい場合、第２状態に切り換える制御を行う。また、切り換え制御部は、所定物質の含有率が第１所定値よりも小さい場合、第１状態に切り換える制御を行う。
【０００９】
この外気導入装置によると、外気は、所定物質の含有率が高い場合には第２フィルタを通過し（第２状態）、低い場合には第１フィルタを通過する（第１状態）。即ち、外気導入流路に流入された外気は、所定物質の含有率に対し対応可能なフィルタを通過した後、空調機の本体内部に導入されるようになる。
【００１０】
発明３に係る空調機の外気導入装置は、発明１または２に係る空調機の外気導入装置であって、フィルタ駆動部を更に備える。フィルタ駆動部は、第１フィルタ及び第２フィルタを移動させることができる。切り換え制御部は、物質情報に基づいて、外気導入流路に第１フィルタ及び第２フィルタのいずれかが配置されるように、フィルタ駆動部を制御する。
【００１１】
この外気導入装置によると、例えば外気導入流路に第１フィルタが取り付けられている状態において、外気中の所定物質の含有率が高くなった場合、外気導入流路には第１フィルタに代えて第２フィルタが自動で配置される。このように、上記外気導入装置では、物質情報に基づいて、外気導入流路におけるフィルタが適宜自動で切り替えられる。従って、空調機の本体内部には、常に適切なフィルタで所定物質が除去された外気が導入されるようになる。
【００１２】
発明４に係る空調機の外気導入装置は、発明１または２に係る空調機の外気導入装置であって、外気導入流路は、第１流路と第２流路とを有する。第１流路には、第１フィルタが配置されており、第２流路には、第２フィルタが配置されている。切り換え制御部は、物質情報に基づいて、外気が第１流路及び第２流路のいずれかを介して空調機の本体内部に導入されるように、流路切換制御を行う。
【００１３】
この外気導入装置によると、例えば所定物質の含有率が高い場合、外気は、第２流路上の第２フィルタを通過した後、室内機内部に導入される。逆に、所定物質の含有率が低い場合、外気は、第１流路上の第１フィルタを通過した後、室内機内部に導入される。このように、上記外気導入装置では、物質情報に基づいて、別々のフィルタが配置された流路が外気の経路として適宜自動で切り換えられるため、空調機の本体内部には、常に適切なフィルタによって所定物質が除去された後の外気が導入されるようになる。
【００１４】
発明５に係る空調機の外気導入装置は、発明１〜４のいずれかに係る空調機の外気導入装置であって、物質情報は、外気における所定物質の含有率である。切り換え制御部は、第１条件及び第２条件の少なくとも１つが満たされた場合、空調機の本体内部への外気の導入を停止させる。第１条件は、所定物質の含有率が第２所定値よりも大きいという条件であって、第２条件は、外気の湿度が第３所定値以上であるという条件である。
【００１５】
第２所定値としては、例えば第１所定値よりも高い値が挙げられる。この外気導入装置によると、外気における所定物質の含有率が第２所定値よりも大きく、もはや第２フィルタでも除去しきれない程である場合や（第１条件）、外気の湿度が第３所定量以上である場合（第２条件）には、空調機の本体内部への外気の導入が停止する。これにより、例えば第２フィルタでも除去しきれず外気中に残留した所定物質が空調機を介して室内に供給されることを防ぐことができる。
【００１６】
発明６に係る空調機の外気導入装置は、発明１〜５のいずれかに係る空調機の外気導入装置であって、検知部を更に備える。検知部は、外気導入流路上に設けられており、物質情報を検知する。取得部は、検知部から物質情報を取得する。
【００１７】
これにより、外気導入装置は、外気導入装置付近における外気についての物質情報を例えばリアルタイムで容易に把握することができ、該物質情報を用いて第１状態及び第２状態の切り換え制御を行うことができる。また、検知部は、外気導入装置付近における外気についての物質情報を検知することから、外気導入装置は、精度の高い物質情報を用いて切り換え制御を行うことができる。
【００１８】
発明７に係る空調機の外気導入装置は、発明１〜５のいずれかに係る空調機の外気導入装置であって、取得部は、通信ネットワークと接続されている。そして、取得部は、通信ネットワークを介して、外部装置から物質情報を取得する。
【００１９】
これにより、外気導入装置は、通信ネットワーク経由で詳細な物質情報を取得することができ、該物質情報を用いて第１状態及び第２状態の切り換え制御を行うことができる。従って、物質情報を検知するためのセンサを別途設ける必要がなく、低コスト化を図ることができる。
【００２０】
発明８に係る空調機の外気導入装置は、発明１〜７のいずれかに係る空調機の外気導入装置であって、空調運転は、外気冷房運転または換気運転である。外気冷房運転は、外気を主として利用して冷房運転を行う運転である。換気運転は、外気を室内へと吹き出させる運転である。
【００２１】
これにより、所定物質の含有率の低い外気が、空調機の外気冷房運転や換気運転に利用されるようになる。
【発明の効果】
【００２２】
発明１に係る空調機の外気導入装置によると、外気が所定物質の除去能力の高い第２フィルタを常に通過する場合に比して第２フィルタの長寿命化を図ることができ、フィルタの取り替えによるランニングコストを抑えることができると共に、室内機内部には、所定物質の含有率が低い、または所定物質を含まない外気が導入されるようになる。
【００２３】
発明２に係る空調機の外気導入装置によると、外気導入流路に流入された外気は、所定物質の含有率に対し対応可能なフィルタを通過した後、空調機の本体内部に導入されるようになる。
【００２４】
発明３に係る空調機の外気導入装置によると、空調機の本体内部には、常に適切なフィルタで所定物質が除去された外気が導入されるようになる。
【００２５】
発明４に係る空調機の外気導入装置によると、物質情報に基づいて、別々のフィルタが配置された流路が外気の経路として適宜自動で切り換えられるため、空調機の本体内部には、常に適切なフィルタによって所定物質が除去された後の外気が導入されるようになる。
【００２６】
発明５に係る空調機の外気導入装置によると、例えば第２フィルタでも除去しきれず外気中に残留した所定物質が空調機を介して室内に供給されることを防ぐことができる。
【００２７】
発明６に係る空調機の外気導入装置は、外気導入装置付近における外気についての物質情報を例えばリアルタイムで容易に把握することができ、該物質情報を用いて第１状態及び第２状態の切り換え制御を行うことができる。また、検知部は、外気導入装置付近における外気についての物質情報を検知することから、外気導入装置は、精度の高い物質情報を用いて切り換え制御を行うことができる。
【００２８】
発明７に係る空調機の外気導入装置によると、物質情報を検知するためのセンサを別途設ける必要がなく、低コスト化を図ることができる。
【００２９】
発明８に係る空調機の外気導入装置によると、所定物質の含有率の低い外気が、空調機の外気冷房運転や換気運転に利用されるようになる。
【発明を実施するための最良の形態】
【００３０】
以下、本発明に係る空調機の外気導入装置について、図面を用いて詳細に説明する。
【００３１】
＜第１実施形態＞
（１）空調機の全体構成
図１は、本実施形態に係る外気導入装置１００が搭載された空調機１の外観図である。図１の空調機１は、室内の天井に埋め込まれるようにして設置された天井埋め込み型の室内機２と、建物外や建物の屋上等の室外に設置されている室外機３とで構成される。更に、室外機３は、冷暖房運転を行う際に用いられる室外熱交換器４４（図３）等を有する室外空調ユニット４と、外部から吸い込んだ空気をそのままの状態又は加湿して室内に供給する給気・加湿ユニット５とを有している。そして、室内機２及び室外機３の各熱交換器２３，４４等は、冷媒配管６ａ，６ｂで接続されており、これによって図３に示されるような冷媒回路７が構成されている。更に、室外機３における給気・加湿ユニット５と室内機２における室内機ケーシング２１（空調機の本体に相当）とは、給気加湿ホース６ｃ（外気導入流路に相当）によって連結されている。
【００３２】
このような空調機１は、外気を利用しない通常の冷房運転、暖房運転、除湿運転の他、外気を利用する空調運転として加湿運転、外気冷房運転、換気運転を行うことができる。ここで、外気冷房運転は、外気を主に利用して冷房を行う運転であって、室内の温度よりも外気の温度の方が低い場合に利用される。換気運転は、外気を室内へと吹き出させる運転である。加湿運転時には、給気・加湿ユニット５で加湿された外気が利用され、外気冷房運転及び換気運転では、加湿されずそのままの状態の外気が利用される。
【００３３】
（１−１）室内機
室内機２は、図１〜図３に示すように、主として、室内機ケーシング２１、室内ファン２２及び室内熱交換器２３を有している。
【００３４】
室内機ケーシング２１は、図１のＷ方向に長い箱状の形状を有している。このような室内機ケーシング２１の内部には、図２に示すように、室内ファン２２、室内熱交換器２３、フィルタ２６等が収納されている。
【００３５】
室内機ケーシング２１の下面２１ａには、吸込口２１ｂと吹出口２１ｃとが１つずつ形成されており、室内機ケーシング２１のうち図１における後ろ側の側面２１ｄには、給気口２１ｅが１つ形成されている（図２）。吸込口２１ｂからは、室内の空気が吸い込まれ、吹出口２１ｃからは、室内熱交換器２３により熱交換された後の空気や、換気運転時の外気、加湿された外気が室内へ吹き出される。給気口２１ｅには、給気加湿ホース６ｃが接続されている。また、吸込口２１ｂの上方かつ給気口２１ｅの側方には、空気が吸い込まれる吸込空間ＳＰが設けられている。この吸込空間ＳＰには、吸込口２１ｂから吸い込まれた室内の空気の他に、給気・加湿ユニット５からの外気（具体的には、加湿された外気または加湿されずそのままの状態の外気）が送られてくるようになっている。
【００３６】
また、吸込口２１ｂ付近には、吸込口２１ｂを開閉するためのフラットパネル２４が設けられており、吸込口２１ｂの上方には、吸込口２１ｂを通過した空気中の塵埃を捕集するためのフィルタ２６が配置されている。吹出口２１ｃ付近には、吹出口２１ｃを開閉するための水平フラップ２５が設けられている。更に、給気口２１ｅ付近には、第１フィルタ１１１、第２フィルタ１１２、遮蔽板１１３、及びフィルタ駆動部１１４が配置されているが、これらについては、「（２）外気導入装置の構成」で説明する。
【００３７】
室内ファン２２は、熱交換後の空気や給気・加湿ユニット５からの外気を室内に供給するためのものであって、吸込口２１ｂから吹出口２１ｃへの空気の流れを生成する。室内ファン２２は、ファンモータ２２ａ（図３）に接続されており、ファンモータ２２ａによって回転駆動される。
【００３８】
室内熱交換器２３は、図２に示すように、室内ファン２２に対し、室内ファン２２により生成される空気流（具体的には、吸込口２１ｂから吹出口２１ｃへ流れる空気流）の上流側に位置している。室内熱交換器２３は、冷媒回路７内を流れる冷媒を蒸発または凝縮させて吸込空間ＳＰから流れてきた空気を冷却または加熱させるための機器である。つまり、室内熱交換器２３は、室内ファン２２によって室内に供給される前の空気と熱交換を行う。尚、図２においては図示されていないが、室内機２内部は、吸込空間ＳＰに送られてきた給気・加湿ユニット５からの外気が、外気冷房運転時には室内熱交換器２３によって熱交換された後に室内に送られ、また加湿運転時及び換気運転時には熱交換されることなくそのまま室内に送られるような構成になっている。
【００３９】
また、室内機２は、図示していないが、室内の温度及び湿度を検知するサーミスタや、リモートコントローラからの各種運転指示等を受信する受信部、ファンモータ２２ａの駆動制御等を行う室内機用制御部等を有している。
【００４０】
（１−２）室外空調ユニット
室外空調ユニット４は、図３に示すように、主として、圧縮機４１、四路切換弁４２、室外熱交換器４４、電動弁４５、液側閉鎖弁４６、ガス側閉鎖弁４７及び室外ファン４８を有している。
【００４１】
圧縮機４１は、冷媒回路７内を流れる冷媒（具体的には、ガス冷媒）を吸入して圧縮するための機器であって、図示しない圧縮機用モータにより駆動される。四路切換弁４２は、外気冷房運転及び通常冷房運転を含む冷房運転と暖房運転との切り換え時に、冷媒回路７内における冷媒の流れの方向を切り換えるための弁である。この四路切換弁４２は、冷房運転時には、圧縮機４１の吐出側と室外熱交換器４４（具体的には、室外熱交換器４４のガス側）とを接続すると共に、圧縮機４１の吸入側とガス側閉鎖弁４７とを、アキュムレータ４３を介して接続する（図３の実線）。また、暖房運転時には、四路切換弁４２は、圧縮機４１の吐出側とガス側閉鎖弁４７とを接続すると共に、圧縮機４１の吸入側と室外熱交換器４４（具体的には、室外熱交換器４４のガス側）とを、アキュムレータ４３を介して接続する（図３の点線）。室外熱交換器４４は、冷媒回路７内を流れる冷媒を蒸発または凝縮させるための機器である。
【００４２】
電動弁４５は、冷媒圧力や冷媒流量の調節を行うための弁であって、室外熱交換器４４の液側と液側閉鎖弁４６との間に接続されている。液側閉鎖弁４６は、冷媒配管６ａを介して室内熱交換器２３の一端部と接続されており、ガス側閉鎖弁４７は、冷媒配管６ｂを介して室内熱交換器２３の他端部に接続されている。室外ファン４８は、室外熱交換器４４において熱交換された後の空気が室外に放出されるように、空気流を生成する。室外ファン４８は、室外ファンモータ４８ａと接続されており、室外ファンモータ４８ａによって回転駆動される。
【００４３】
また、室外空調ユニット４は、図示していないが、外気の温度及び湿度を検知するサーミスタや、室外ファンモータ４８ａの駆動制御等を行う室外空調ユニット用制御部を有している。
【００４４】
（１−３）給気・加湿ユニット
給気・加湿ユニット５は、図３に示すように、主として、吸加湿ロータ５１、ヒータ５２、加湿ファン５３及び吸着用ファン５４を有している。
【００４５】
吸加湿ロータ５１は、概ね円形の形状を有するハニカム構造のセラミックロータであり、空気が容易に通過できる構造となっている。この吸加湿ロータ５１は、ロータ駆動モータ５１ａにより回転駆動される。また、吸加湿ロータ５１には、ゼオライト、シリカゲルあるいはアルミナ等の吸着剤が担持されている。このゼオライトの吸着剤は、接触する空気中の水分を吸着可能であると共に、加熱されることにより水分を離脱する性質を有している。
【００４６】
ヒータ５２は、給気・加湿ユニット５が加湿運転を行う時に、室外から取り込まれて吸加湿ロータ５１へ送られる空気を加熱する。
【００４７】
加湿ファン５３は、吸加湿ロータ５１の側方に配置されており、加湿ファンモータ５３ａにより駆動される。加湿ファン５３は、外気を導入するための給気口５０ａから吸加湿ロータ５１を経て室内へと到る空気の流れ（図３のＡ１）を生成し、外気を給気加湿ホース６ｃを介して室内機２における吸込空間ＳＰへと送る役割を担う。即ち、加湿ファン５３は、室内機ケーシング２１内部に加湿を伴わない外気及び加湿された外気のいずれかが導入されるような空気流を生成する。
【００４８】
吸着用ファン５４は、吸着用ファンモータ５４ａにより回転駆動される。吸着用ファン５４は、吸着用空気吸入口５０ｂから吸い込まれた空気が吸着用空気吹出口５０ｃを経て外へ排出されるように、空気の流れを生成する（図３のＡ２）。ここで、吸着用空気吸入口５０ｂは、吸加湿ロータ５１に水分を吸着させるために給気・加湿ユニット５外部から取り込まれる空気が通る開口であって、吸着用空気吹出口５０ｃは、吸加湿ロータ５１により水分が吸着された空気を外に排出するための開口である。
【００４９】
このような給気・加湿ユニット５によると、加湿運転時には、ヒータ５２がオンし、給気口５０ａから取り込まれた外気はヒータ５２により熱せられ、吸加湿ロータ５１から離脱した水分を含んだ状態で給気加湿ホース６ｃへと送られる。また、加湿を伴わない運転（具体的には、外気冷房運転及び換気運転）時には、ヒータ５２はオフし、給気口５０ａから取り込まれた外気はそのままの状態で給気加湿ホース６ｃへと送られる。
【００５０】
また、給気・加湿ユニット５は、図示していないが、ヒータ５２、ロータ駆動モータ５１ａ、加湿ファンモータ５３ａ、及び吸着用ファンモータ５４ａの駆動制御等を行う給気・加湿ユニット用制御部を有している。
【００５１】
（２）外気導入装置の構成
次に、本実施形態に係る外気導入装置１００の構成について説明する。上述した空調機１では、給気・加湿ユニット５及び給気加湿ホース６ｃにより、給気口５０ａから取り込まれた外気が加湿された状態または加湿を伴わないそのままの状態で室内機ケーシング２１内部に導入されるが、この外気には、花粉や黄砂の他、例えば硫黄酸化物等の大気汚染物質が所定物質として含まれている場合がある。従って、換気運転や外気冷房運転等においては、このような所定物質を含む外気が利用され、室内に供給されてしまう恐れがある。そこで、外気導入装置１００は、室内機ケーシング２１内に導入される前の外気から上述したような所定物質を除去し、所定物質を含まない外気を室内機ケーシング２１に導入させることで、所定物質を含む外気が室内に供給されるのを防ぐ装置である。
【００５２】
本実施形態に係る外気導入装置１００は、図４に示すように、給気加湿ホース６ｃの他、物質検知用センサ１１０（検知部に相当）、第１フィルタ１１１、第２フィルタ１１２、遮蔽板１１３、フィルタ駆動部１１４、及び制御部１１５を備える。尚、給気加湿ホース６ｃは、既に述べたように、室内機２と室外機３における給気・加湿ユニット５とを接続するように延びており、室内機ケーシング２１内部に外気を導入するためのものである。以下では、給気加湿ホース６ｃを除く外気導入装置１００の各構成要素について説明する。
【００５３】
〔物質検知用センサ〕
物質検知用センサ１１０は、外気に含まれる所定物質に関する物質情報を検知するためのセンサであり、給気加湿ホース６ｃ内に設けられている。より具体的には、物質検知用センサ１１０は、図５に示すように、給気加湿ホース６ｃ内のうち、給気・加湿ユニット５付近に設けられている。物質検知用センサ１１０は、給気・加湿ユニット５から室内機ケーシング２１内へと送られる空気の流れ（Ａ１）に対し、第１フィルタ１１１及び第２フィルタ１１２よりも上流側に位置しており、第１フィルタ１１１及び第２フィルタ１１２を通過する前の外気の物質情報を検知する。
【００５４】
ここで、所定物質に関する物質情報としては、所定物質の種類や含有率が挙げられる。即ち、物質情報とは、外気中にどのような種類の所定物質が含まれているかといった情報や、外気中に所定物質がどのくらいの割合含まれているか（即ち、所定物質の含有量）といった情報である。ここで、所定物質の種類としては、既に述べた通り、花粉や黄砂、硫黄酸化物等が挙げられる。
【００５５】
尚、本実施形態では、物質検知用センサ１１０が、外気中における所定物質の含有率ｘを物質情報として検知する場合を例に取る。
【００５６】
〔フィルタ及び遮蔽板〕
第１フィルタ１１１、第２フィルタ１１２及び遮蔽板１１３は、図２及び図５に示すように、室内機ケーシング２１における給気口２１ｅ付近に縦方向に並んで設けられている。第１フィルタ１１１は、例えば外気中に含まれる塵埃や、外気中に含まれる微量の所定物質を除去することができる程度の能力を有するフィルタであるが、第２フィルタ１１２は、第１フィルタよりも所定物質の除去能力が高いフィルタである。従って、第２フィルタ１１２は、第１フィルタ１１１よりも網目が細かく、高性能なフィルタとなっている。遮蔽板１１３は、例えば板金で形成され、室内機ケーシング２１内への外気の流れを完全に遮断することができる。第１フィルタ１１１，第２フィルタ１１２及び遮蔽板１１３は、いずれも給気加湿ホース６ｃの端部に配置されて当該ホース６ｃを塞ぐことが可能な大きさを有している。
【００５７】
また、第１フィルタ１１１、第２フィルタ１１２及び遮蔽板１１３は、いずれもフィルタ駆動部１１４（図２，図４）により上下方向に移動可能となっている（図５の矢印Ｂ）。本実施形態では、各フィルタ１１１，１１２及び遮蔽板１１３は、各フィルタ１１１，１１２及び遮蔽板１１３のうちいずれか１つが上下方向に移動するのではなく、一体となって上下方向に移動する。従って、例えば両フィルタ１１１，１１２が共に給気加湿ホース６ｃを塞ぐように（つまり、給気口２１ｅを塞ぐように）給気加湿ホース６ｃの端部に位置したり、第１フィルタ１１１と遮蔽板１１３とが共に給気加湿ホース６ｃを塞ぐように給気加湿ホース６ｃの端部に位置したりすることはなく、常に、第１フィルタ１１１、第２フィルタ１１２及び遮蔽板１１３のいずれか一つが給気加湿ホース６ｃを塞ぐように、外気導入流路である給気加湿ホース６ｃの端部（給気口２１ｅ付近）に位置することになる。
【００５８】
〔フィルタ駆動部〕
フィルタ駆動部１１４は、既に述べたように、各フィルタ１１１，１１２及び遮蔽板１１３を上下方向に移動させるためのものであって、各フィルタ１１１，１１２及び遮蔽板１１３付近に位置している（図２）。
【００５９】
ここで、第１及び第２フィルタ１１１，１１２、遮蔽板１１３が移動するための機構の一例としては、例えば以下の方法が挙げられる。先ず、各フィルタ１１１，１１２、遮蔽板１１３は、全て矩形状の形状を有しており、その左右端部それぞれにはラックが設けられているとする。室内機ケーシング２１側には、各フィルタ１１１，１１２及び遮蔽板１１３の左右端部に対応する位置に駆動ギア及びモータを、フィルタ駆動部１１４として配置させておく。また、各フィルタ１１１，１１２及び遮蔽板１１３の左右端部に対応する室内機ケーシング２１の位置には、各フィルタ１１１，１１２及び遮蔽板１１３が支持されるフレームを配置しておく。これにより、モータの回転によって駆動ギアを回転させることで、駆動ギアと各フィルタ１１１，１１２及び遮蔽板１１３のラックとが噛み合い、各フィルタ１１１，１１２及び遮蔽板１１３はフレームに沿って上下方向に移動するようになる。尚、各フィルタ１１１，１１２及び遮蔽板１１３が上方向または下方向のどちらに移動するかは、モータの回転方向の調節によって実現可能である。
【００６０】
〔制御部〕
制御部１１５は、ＣＰＵ及びメモリからなるマイクロコンピュータで構成されており、図示してはいないが、室内機ケーシング２１内部のフィルタ駆動部１１４付近に配置されている。制御部１１５は、図２に示すように、物質検知用センサ１１０及びフィルタ駆動部１１４と接続されている。制御部１１５は、空調機１において加湿運転、外気冷房運転及び換気運転のように、外気を利用する空調運転が行われる場合、外気に含まれる所定物質に関する物質情報に基づいて、給気加湿ホース６ｃを塞ぐもの（具体的には、第１フィルタ１１１、第２フィルタ１１２及び遮蔽板１１３のいずれか１つ）を切り換える制御を行う。このような動作を行うため、制御部１１５は、取得部１１６及び切り換え制御部１１７として機能する。
【００６１】
取得部１１６は、所定物質に関する物質情報を、物質検知用センサ１１０から取得する。本実施形態に係る取得部１１６は、外気中における所定物質の含有率ｘを、物質情報として取得する。尚、取得部１１６は、例えば１０分毎のように所定時間毎に物質情報を取得してもよく、または物質情報をリアルタイムで取得してもよい。
【００６２】
切り換え制御部１１７は、取得部１１６が取得した物質情報に基づいて、給気加湿ホース６ｃに流入された外気が第１フィルタ１１１を介して室内機ケーシング２１内に導入されるか、第２フィルタ１１２を介して室内機ケーシング２１内に導入されるかを切り換える制御を行う。更に、切り換え制御部１１７は、取得部１１６が取得した物質情報に基づいて、室内機ケーシング２１内部への外気の導入を停止させるか否かを判断する。以下では、説明の便宜上、給気加湿ホース６ｃに流入された外気が第１フィルタ１１１を介して室内機ケーシング２１内部に導入される状態を「第１状態」（図５（ｂ））、外気が第２フィルタ１１２を介して室内機ケーシング２１内部に導入される状態を「第２状態」（図５（ａ））、遮蔽板１１３により給気加湿ホース６ｃが遮断され外気の導入が停止する状態を「第３状態」という。
【００６３】
ここで、具体的に物質情報がどのような時に、切り換え制御部１１７が第１〜第３状態のうちどの状態に切り換えるかについて説明する。図６は、所定物質の含有率ｘである物質情報と第１〜第３状態との関係を表したグラフである。図６に示すように、取得部１１６から取得した物質情報である所定物質の含有率ｘが第１所定値α未満である場合（ｘ＜α）、切り換え制御部１１７は、所定物質の含有率ｘが比較的低いことから、給気加湿ホース６ｃを塞ぐフィルタを第１フィルタ１１１と決定する。そして、切り換え制御部１１７は、第１フィルタ１１１が給気加湿ホース６ｃの端部に来るようにフィルタ駆動部１１４を制御することで各フィルタ１１１，１１２及び遮蔽板１１３を移動させ、第１状態に切り換える（図５（ｂ））。これにより、給気加湿ホース６ｃに流入してきた外気は、第１フィルタ１１１を通過し、外気中の微量の所定物質及び塵埃等が除去された状態で室内機ケーシング２１内に導入される。
【００６４】
一方、所定物質の含有率ｘが第１所定値α以上であって、かつ第２所定値β未満である場合（α≦ｘ＜β）、切り換え制御部１１７は、所定物質の含有率ｘが比較的高いことから、給気加湿ホース６ｃを塞ぐフィルタを第２フィルタ１１２と決定する。そして、切り換え制御部１１７は、第２フィルタ１１２が給気加湿ホース６ｃの端部に来るようにフィルタ駆動部１１４を制御することで各フィルタ１１１，１１２及び遮蔽板１１３を移動させ、第２状態に切り換える（図５（ａ））。これにより、給気加湿ホース６ｃに流入してきた外気は、第２フィルタ１１２を通過し、比較的多く含まれている外気中の所定物質は、第２フィルタ１１２で除去される。
【００６５】
更に、所定物質の含有率ｘが第２所定値β以上である場合（β≦ｘ、第１条件に相当）、切り換え制御部１１７は、外気中の所定物質の含有量が非常に多く、もはや第１フィルタ１１１及び第２フィルタ１１２では対応不可能であるため、給気加湿ホース６ｃを塞ぐものを遮蔽板１１３と決定する。そして、切り換え制御部１１７は、遮蔽板１１３が給気加湿ホース６ｃの端部に来るようにフィルタ駆動部１１４を制御することで各フィルタ１１１，１１２及び遮蔽板１１３を移動させ、第３状態に切り換える。これにより、給気加湿ホース６ｃに流入してきた外気は、遮蔽板１１３によって遮断され、室内機ケーシング２１内部に導入されることはない。
【００６６】
尚、上記第１所定値α及び第２所定値βの値については、人体に影響を及ぼすと公表されている所定物質の規定量のデータによって適宜決定される。例えば、人体に何らかの影響を及ぼし始めるであろう所定物質の量が第１所定値αとして決定され、人体に悪影響を及ぼすとされる所定物質の値が、第２所定値βとして決定される。
【００６７】
また、切り換え制御部１１７は、上記第１条件が満たされた場合だけではなく、外気の湿度ｙが第３所定値γ以上であるという第２条件が満たされた場合にも（γ≦ｙ）、給気加湿ホース６ｃが遮蔽板１１３によって塞がれることで第３状態となるように、フィルタ駆動部１１４を制御する。尚、第２条件が満たされているか否かの判断の際に用いられる外気の湿度ｙとしては、例えば室外空調ユニット４が有する外気の湿度検知用サーミスタ（図示せず）の検知結果が用いられるものとする。また、第２条件に係る第３所定値γは、上記第１所定値α及び第２所定値βと同様、人体に影響を及ぼすと公表されている所定物質の規定量のデータ等に基づいて、適宜決定される。
【００６８】
（３）外気導入装置の動作
次に、本実施形態に係る外気導入装置１００の一連の動作について、図７を用いて説明する。はじめに、空調機１の電源がオンであるとする。また、給気加湿ホース６ｃの端部には、第１及び第２フィルタ１１１，１１２、遮蔽板１１３のいずれかが配置されている状態であるとする。
【００６９】
ステップＳ１〜Ｓ２：空調機１において、リモートコントローラ等を介して外気を利用する空調運転の開始指示がなされた場合（Ｓ１のＹｅｓ）、物質検知用センサ１１０は、外気中の所定物質の含有率ｘを物質情報として検知する動作を開始する（Ｓ２）。物質検知用センサ１１０が物質情報（つまり、所定物質の含有率ｘ）を検知すると（Ｓ２のＹｅｓ）、切り換え制御部１１７は、この物質情報の値と各所定値α，βとの大小を比較する。
【００７０】
ステップＳ３〜Ｓ４：物質情報の値（所定物質の含有率ｘ）が第１所定値α未満である場合（Ｓ３のＹｅｓ）、切り換え制御部１１７は、第１フィルタ１１１が給気加湿ホース６ｃを塞ぐ第１状態となるように、フィルタ駆動部１１４を制御する（Ｓ４）。これにより、現在第１フィルタ１１１が給気加湿ホース６ｃを塞いでいない状態であれば、フィルタ駆動部１１４は、第１フィルタ１１１が給気加湿ホース６ｃの端部に来るように、各フィルタ１１１，１１２及び遮蔽板１１３を移動させる。この場合、給気加湿ホース６ｃに流入された外気は、第１フィルタ１１１を介して室内機ケーシング２１内部に導入される。
【００７１】
ステップＳ５〜Ｓ６：物質情報の値（所定物質の含有率ｘ）が第１所定値α以上かつ第２所定値β未満である場合（Ｓ５のＹｅｓ）、切り換え制御部１１７は、第２フィルタ１１２が給気加湿ホース６ｃを塞ぐ第２状態となるように、フィルタ駆動部１１４を制御する（Ｓ６）。これにより、現在第２フィルタ１１２が給気加湿ホース６ｃを塞いでいない状態であれば、フィルタ駆動部１１４は、第２フィルタ１１２が給気加湿ホース６ｃの端部に来るように、各フィルタ１１１，１１２及び遮蔽板１１３を移動させる。この場合、給気加湿ホース６ｃに流入された外気は、第１フィルタ１１１よりも所定物質の除去能力が高い第２フィルタ１１２を介して室内機ケーシング２１内部に導入される。
【００７２】
ステップＳ７〜Ｓ８：物質情報の値（所定物質の含有率ｘ）が第２所定値β以上であるという第１条件が満たされる場合（Ｓ５のＮｏ）、または物質情報の検知は行われていないが（Ｓ２のＮｏ）、外気の湿度ｙが第３所定値γ以上であるという第２条件が満たされる場合（Ｓ７のＹｅｓ）、切り換え制御部１１７は、遮蔽板１１３が給気加湿ホース６ｃを塞ぐ第３状態となるように、フィルタ駆動部１１４を制御する（Ｓ８）。これにより、現在遮蔽板１１３が給気加湿ホース６ｃを塞いでいない状態であれば、フィルタ駆動部１１４は、遮蔽板１１３が給気加湿ホース６ｃの端部に来るように、各フィルタ１１１，１１２及び遮蔽板１１３を移動させる。この場合、外気は、室内機ケーシング２１内部に導入されることはない。
【００７３】
ステップＳ９：空調機１が外気を利用する空調運転を終了するまで（Ｓ９のＮｏ）、外気導入装置１００は、ステップＳ２以降の動作を繰り返す。空調機１が外気を利用する空調運転を終了した場合（ステップＳ９のＹｅｓ）、外気導入装置１００は、一連の動作を終了する。
【００７４】
（４）効果
（Ａ）
この外気導入装置１００によると、給気加湿ホース６ｃに流入された外気は、花粉や黄砂、大気汚染物質等の所定物質に関する物質情報に基づいて、第１フィルタ１１１または第１フィルタ１１１よりも所定物質の除去能力の高い第２フィルタ１１２を通過し、その後室内機ケーシング２１内部に導入される。つまり、外気における所定物質の含有率ｘに応じて、外気は、第１フィルタ１１１または第２フィルタ１１２を通過する。従って、外気が所定物質の除去能力の高い第２フィルタ１１２を常に通過する場合に比して第２フィルタ１１２の長寿命化を図ることができ、フィルタの取り替えによるランニングコストを抑えることができると共に、室内機ケーシング２１内部には、所定物質の含有率が低い外気が導入されるようになる。
【００７５】
（Ｂ）
また、本実施形態に係る外気導入装置１００によると、外気は、所定物質の含有率ｘが高い場合には第２フィルタ１１２を通過し（第２状態）、低い場合には第１フィルタ１１１を通過する（第１状態）。即ち、給気加湿ホース６ｃに流入された外気は、所定物質の含有率ｘに対し対応可能なフィルタ１１１，１１２を通過した後、室内機ケーシング２１内部に導入されるようになる。
【００７６】
（Ｃ）
また、本実施形態に係る外気導入装置１００によると、給気加湿ホース６ｃの端部に第１フィルタ１１１が位置している状態において、例えば外気中の所定物質の含有率ｘが高くなった場合、第１フィルタ１１１に代えて第２フィルタ１１２が自動で給気加湿ホース６ｃの端部に配置されるこのように、この外気導入装置１００では、物質情報に基づいて、給気加湿ホース６ｃにおけるフィルタ１１１，１１２が適宜自動で切り替えられる。従って、室内機ケーシング２１内部には、常に適切なフィルタ１１１，１１２で所定物質が除去された外気が導入されるようになる。
【００７７】
（Ｄ）
また、本実施形態に係る外気導入装置１００によると、外気における所定物質の含有率ｘが第２所定値βよりも大きく、もはや第２フィルタ１１２でも除去しきれない程である場合（第１条件）や、外気の湿度が第３所定量γ以上である場合（第２条件）には、遮断板１１３によって給気加湿ホース６ｃが遮断される。これにより、例えば第２フィルタ１１２でも除去しきれず外気中に残留した所定物質が室内機２を介して室内に供給されることを防ぐことができる。
【００７８】
（Ｅ）
また、本実施形態に係る外気導入装置１００によると、物質情報は、給気加湿ホース６ｃ上に設けられた物質検知用センサ１１０によって検知されるため、外気導入装置１００は、自装置付近における外気についての物質情報を容易に把握することができ、該物質情報を用いて第１状態及び第２状態の切り換え制御を行うことができる。また、物質検知用センサ１１０は、外気導入装置１００付近における外気についての物質情報を検知することから、外気導入装置１００は、精度の高い物質情報を用いて切り換え制御を行うことができる。
【００７９】
（Ｆ）
また、本実施形態に係る外気導入装置１００が、外気冷房運転または換気運転を行う空調機１に搭載されることで、所定物質の含有率ｘの低い外気が、空調機１の外気冷房運転や換気運転に利用されるようになる。
【００８０】
＜第２実施形態＞
上記第１実施形態では、第１フィルタ１１１及び第２フィルタ１１２が移動可能である場合について説明したが、本実施形態では、第１フィルタ及び第２フィルタが移動可能ではなく、固定されている場合について説明する。
【００８１】
尚、本実施形態に係る外気導入装置２００が搭載される空調機については、第１実施形態に係る空調機１と同様の構成を有しているため、以下では、空調機１の構成の説明を省略すると共に、空調機１における符号については、第１実施形態と同様の符号を用いることとする。以下、本実施形態の一特徴である外気導入装置２００について説明する。
【００８２】
（１）外気導入装置の構成
外気導入装置２００は、図８及び図９に示すように、給気加湿ホース２０６ｃ、通信部２１０、第１フィルタ２１１、第２フィルタ２１２、第１切換ダンパ２１４ａ、第２切換ダンパ２１４ｂ及び制御部２１５を備える。
【００８３】
〔給気加湿ホース〕
給気加湿ホース２０６ｃは、上記第１実施形態と同様、給気・加湿ユニット５から室内機ケーシング２１内部へと外気を導入するためのものであるが（図８のＡ１）、本実施形態に係る給気加湿ホース２０６ｃは、図８及び図９に示すように、第１流路２０６ｃａと第２流路２０６ｃｂとを有している。第１流路２０６ｃａ及び第２流路２０６ｃｂは、いずれも室内機２の室内機ケーシング２１における給気口２１ｅから室外機３における給気・加湿ユニット５の加湿ファン５３付近へと延びているが、各流路２０６ｃａ，２０６ｃｂ内には、互いに異なるフィルタ２１１，２１２が１つずつ配置されている。また、第１流路２０６ｃａ及び第２流路２０６ｃｂそれぞれは独立した流路であり、第１流路２０６ｃａ内と第２流路２０６ｃｂ内とを外気が行き来することはない。つまり、第１流路２０６ｃａ内を通過する外気が第２流路２０６ｃｂ内に流入することはなく、逆に第２流路２０６ｃｂ内を通過する外気が第１流路２０６ｃａ内に流入することはない。
【００８４】
〔通信部〕
通信部２１０は、例えばインターネット等である通信ネットワーク２２０と接続されており、通信ネットワーク２２０に接続された外部装置２２１と通信することにより、所定物質に関する物質情報を外部装置２２１から取得する。
【００８５】
ここで、外部装置２２１とは、外気導入装置２００が搭載されている空調機１が設置された建物周辺の外気についての物質情報等を保持しているセンターなどである。つまり、本実施形態に係る外気導入装置２００は、第１実施形態に係る外気導入装置１００のように、装置自らが物質情報を取得するのではなく、当該建物周辺の外気についての物質情報を保持しているセンター（即ち、外部装置２２１）から、最新の物質情報を取得する。尚、通信部２１０は、自らが外部装置２２１にアクセスすることで最新の物質情報を取得してもよいし、外部装置２２１から定期的に最新の物質情報が配信されてくる場合は、配信されてきた物質情報を取得してもよい。
【００８６】
また、本実施形態では、上記第１実施形態と同様、物質情報が、外気中における所定物質の含有率ｘである場合を例に取る。
【００８７】
〔フィルタ〕
第１フィルタ２１１及び第２フィルタ２１２は、図９に示すように、室内機ケーシング２１における給気口２１ｅ付近であって、かつ給気加湿ホース２０６ｃ内に配置されている。具体的に、第１フィルタ２１１は、給気加湿ホース２０６ｃの第１流路２０６ｃａ内に、第１流路２０６ｃａを塞ぐようにして配置されている。第２フィルタ２１２は、給気加湿ホース２０６ｃの第２流路２０６ｃｂ内に、第２流路２０６ｃｂを塞ぐようにして配置されている。これらのフィルタ２１１，２１２は、いずれも各流路２０６ｃａ，２０６ｃｂに対し着脱可能に取り付けられてはいるが、第１実施形態に係るフィルタ１１１，１１２のように移動可能ではなく、各流路２０６ｃａ，２０６ｃｂ内に固定されている。
【００８８】
また、第１実施形態と同様、第１フィルタ２１１は、例えば外気中に含まれる塵埃や、外気中に含まれる微量の所定物質を除去することができる程度の能力を有するフィルタであって、第２フィルタ２１２は、第１フィルタ２１１よりも所定物質の除去能力が高いフィルタである。従って、第２フィルタ２１２は、第１フィルタ２１１よりも網目が細かく、高性能なフィルタとなっている。
【００８９】
〔切換ダンパ〕
第１切換ダンパ２１４ａは、第１流路２０６ｃａ内であって、第１フィルタ２１１よりも外気の流れる方向（Ａ１）に対し下流側に配置されている。第２切換ダンパ２１４ｂは、第２流路２０６ｃｂ内であって、第２フィルタ２１２よりも外気の流れる方向（Ａ１）に対し下流側に配置されている。このような第１及び第２切換ダンパ２１４ａ，２１４ｂは、給気・加湿ユニット５から室内機ケーシング２１へと導入される外気の流路切換手段であって、それぞれ開状態及び閉状態に切り替わる。
【００９０】
開状態においては、切換ダンパ２１４ａ，２１４ｂは流路２０６ｃａ，２０６ｃｂの長手方向に沿うように位置する状態となるため（例えば、図９（ａ）の切換ダンパ２１４ｂ）、当該流路２０６ｃａ，２０６ｃｂが開放される。従って、給気・加湿ユニット５からの外気は、開放された流路２０６ｃａ，２０６ｃｂ上のフィルタ２１１，２１２を介して室内機ケーシング２１内に導入される。一方、閉状態においては、切換ダンパ２１４ａ，２１４ｂは流路２０６ｃａ，２０６ｃｂを塞ぐように位置する状態となるため（例えば、図９（ａ）の切換ダンパ２１４ａ）、当該流路２０６ｃａ，２０６ｃｂが遮断される。従って、給気・加湿ユニット５からの外気は、遮断された流路２０６ｃａ，２０６ｃｂを介して室内機ケーシング２１内には導入されなくなる。
【００９１】
〔制御部〕
制御部２１５は、ＣＰＵ及びメモリからなるマイクロコンピュータで構成されており、図示してはいないが、室内機ケーシング２１内部に配置されている。制御部２１５は、図８に示すように、通信部２１０、第１及び第２切換ダンパ２１４ａ，２１４ｂと接続されており、通信部２１０の通信制御や、各切換ダンパ２１４ａ，２１４ｂの切り換え制御を行う。特に、空調機１において加湿運転、外気冷房運転及び換気運転のように、外気を利用する空調運転が行われる場合、制御部２１５は、通信部２１０が取得した物質情報に基づいて、流路切り換え制御を行う。このような動作を行うため、制御部２１５は、通信制御部２１６及び切り換え制御部２１７として機能する。
【００９２】
通信制御部２１６は、空調機１において加湿運転、外気冷房運転及び換気運転のように、外気を利用する空調運転が行われる場合、通信部２１０が外部装置２２１から物質情報を取得するように、通信部２１０の通信制御を行う。
【００９３】
切り換え制御部２１７は、通信部２１０が取得した物質情報に基づいて、第１流路２０６ｃａ及び第２流路２０６ｃｂのいずれかを介して外気が室内機ケーシング２１内に導入されるように、流路切換制御を行う。つまり、切り換え制御部２１７は、物質情報に基づいて第１及び第２切換ダンパ２１４ａ，２１４ｂの状態を制御することにより、外気を第１フィルタ２１１を介して室内機ケーシング２１内に導入させるか、または第２フィルタ２１２を介して室内機ケーシング２１内に導入させる。
【００９４】
具体的には、図６に示すように、取得部１１６から取得した物質情報である所定物質の含有率ｘが第１所定値α未満である場合（ｘ＜α）、切り換え制御部２１７は、所定物質の含有率ｘが比較的低いことから、第１切換ダンパ２１４ａが開状態、第２切換ダンパ２１４ｂが閉状態となるように、各切換ダンパ２１４ａ，２１４ｂの状態を切り換える（図９（ｂ））。これにより、給気・加湿ユニット５からの外気は、第１流路２０６ｃａ内を通って第１フィルタ２１１を通過し、外気中の微量の所定物質及び塵埃等が除去された状態で室内機ケーシング２１内に導入される（第１実施形態に係る「第１状態」に相当）。
【００９５】
一方、所定物質の含有率ｘが第１所定値α以上であって、かつ第２所定値β以下である場合（α≦ｘ＜β）、切り換え制御部２１７は、所定物質の含有率ｘが比較的高いことから、第１切換ダンパ２１４ａが閉状態、第２切換ダンパ２１４ｂが開状態となるように、各切換ダンパ２１４ａ，２１４ｂの状態を切り換える（図９（ａ））。これにより、給気・加湿ユニット５からの外気は、第２流路２０６ｃｂ内を通って第２フィルタ２１２を通過し、比較的多く含まれている所定物質が第２フィルタ２１２で除去されてから室内機ケーシング２１内に導入される（第１実施形態に係る「第２状態」に相当）。
【００９６】
また、切り換え制御部２１７は、通信部２１０が取得した物質情報に基づいて、両流路２０６ｃａ，２０６ｃｂを遮断するか否かについても判断する。具体的には、所定物質の含有率ｘが第２所定値βよりも大きい場合（β≦ｘ、第１条件に相当）、切り換え制御部２１７は、外気中の所定物質の含有量が非常に多く、もはや第１及び第２フィルタ２１１，２１２では対応不可能であるため、第１切換ダンパ２１４ａ及び第２切換ダンパ２１４ｂが共に閉状態となるように、各切換ダンパ２１４ａ，２１４ｂの状態を切り換える。これにより、各流路２０６ｃａ，２０６ｃｂに流入してきた外気は、各切換ダンパ２１４ａ，２１４ｂによって遮断され、室内機ケーシング２１内部に導入されることはない（第１実施形態に係る「第３状態」に相当）。更に、切り換え制御部２１７は、第１実施形態と同様、外気の湿度ｙが第３所定値γ以上であるという第２条件が満たされた場合にも（γ＜ｙ）、第１及び切換ダンパ２１４ａ，２１４ｂが共に閉状態となるように、各切換ダンパ２１４ａ，２１４ｂの状態を切り換える。
【００９７】
尚、上記制御で用いられる外気の湿度としては、物質情報と同様、通信部２１０が外部装置２２１から取得した建物周辺における外気の湿度が用いられてもよく、または室外空調ユニット４が有する外気の湿度検知用サーミスタ（図示せず）の検知結果が用いられても良い。また、第１所定値α、第２所定値β及び第３所定値γは、第１実施形態と同様、人体に影響を及ぼすと公表されている所定物質の規定量のデータ等に基づいて、適宜決定される。
【００９８】
（２）外気導入装置の動作
次に、本実施形態に係る外気導入装置２００の一連の動作について、図１０を用いて説明する。はじめに、空調機１の電源がオンであるとする。
【００９９】
ステップＳ２１〜Ｓ２：空調機１において、リモートコントローラ等を介して外気を利用する空調運転の開始指示がなされた場合（Ｓ２１のＹｅｓ）、通信部２１０は、外気中の所定物質の含有率ｘである物質情報を外部装置２２１から取得する動作を開始する（Ｓ２２）。通信部２１０が物質情報（つまり、所定物質の含有率ｘ）を取得すると（Ｓ２２のＹｅｓ）、切り換え制御部２１７は、この物質情報の値と各所定値α，βとの大小を比較する。
【０１００】
ステップＳ２３〜Ｓ２４：物質情報（所定物質の含有率ｘ）が第１所定値α未満である場合（Ｓ２３のＹｅｓ）、切り換え制御部２１７は、第１切換ダンパ２１４ａを開状態、第２切換ダンパ２１４ｂを閉状態にする（Ｓ２４）。これにより、第２流路２０６ｃｂのみが第２切換ダンパ２１４ｂによって遮断された第１状態となるため、給気・加湿ユニット５からの外気は、第１流路２０６ｃａを通過し、第１フィルタ２１１を介して室内機ケーシング２１内部に導入される。
【０１０１】
ステップＳ２５〜Ｓ２６：物質情報（所定物質の含有率ｘ）が第１所定値α以上かつ第２所定値β未満である場合（Ｓ２５のＹｅｓ）、切り換え制御部２１７は、第１切換ダンパ２１４ａを閉状態、第２切換ダンパ２１４ｂを開状態にする（Ｓ２６）。これにより、第１流路２０６ｃａのみが第１切換ダンパ２１４ａによって遮断された第２状態となるため、給気・加湿ユニット５からの外気は、第２流路２０６ｃｂを通過し、第１フィルタ２１１よりも所定物質の除去能力が高い第２フィルタ２１２を介して室内機ケーシング２１内部に導入される。
【０１０２】
ステップＳ２７〜Ｓ２８：物質情報（所定物質の含有率ｘ）が第２所定値β以上であるという第１条件が満たされる場合（Ｓ２５のＮｏ）、または外気の湿度ｙが第３所定値γ以上であるという第２条件が満たされる場合（Ｓ２７のＹｅｓ）、切り換え制御部２１７は、第１切換ダンパ２１４ａ及び第２切換ダンパ２１４ｂを共に閉状態にする（Ｓ２８）。これにより、両流路２０６ｃａ，２０６ｃｂは遮断され（第３状態）、給気・加湿ユニット５からの外気は、室内機ケーシング２１内部に導入されることはない。
【０１０３】
ステップＳ２９：空調機１が外気を利用する空調運転を終了するまで（Ｓ２９のＮｏ）、外気導入装置２００は、ステップＳ２２以降の動作を繰り返す。空調機１が外気を利用する空調運転を終了した場合（ステップＳ２９のＹｅｓ）、外気導入装置２００は、一連の動作を終了する。
【０１０４】
（３）効果
（Ａ）
本実施形態に係る外気導入装置２００によると、所定物質の含有率ｘが第１所定値αよりも高い場合、外気は、第２流路２０６ｃｂ上の第２フィルタ２１２を通過した後、室内機ケーシング２１内部に導入される。逆に、所定物質の含有率ｘが第１所定値αよりも低い場合、外気は、第１流路２０６ｃａ上の第１フィルタ２１１を通過した後、室内機ケーシング２１内部に導入される。このように、本実施形態に係る外気導入装置２００では、物質情報に基づいて、別々のフィルタ２１１，２１２が配置された各流路２０６ｃａ，２０６ｃｂが、外気の経路として適宜選択されるため、室内機ケーシング２１内部には、常に適切なフィルタ２１１，２１２によって所定物質が除去された後の外気が導入されるようになる。
【０１０５】
（Ｂ）
また、本実施形態に係る外気導入装置２００は、通信ネットワーク２２０経由で詳細な物質情報を外部装置２２１から取得することができ、該物質情報を用いて第１状態及び第２状態の切り換え制御を行うことができる。従って、物質情報を検知するためのセンサを別途設ける必要がなく、低コスト化を図ることができる。
【０１０６】
＜その他の実施形態＞
（ａ）
上記第１及び第２実施形態では、図６〜７、図１０に示すように、外気中の所定物質の含有率ｘが第１所定値αよりも高い第２所定値β以上である場合に、外気の室内機ケーシング２１内への導入が中止されると説明した。しかし、外気導入装置は、外気がどのフィルタを介して室内機ケーシング２１内に導入されるかといった状態切り換えを行うのではなく、所定物質の含有率ｘが第１所定値α以上である場合には、外気の室内機ケーシング２１内への導入を中止してもよい。この場合、高価な第２フィルタを外気導入装置に設ける必要がないため、低コスト化を図ることができると共に、室内の衛生が守られる。
【０１０７】
（ｂ）
上記第１実施形態では、物質情報である所定物質の含有率ｘが、第２所定値β以上であるという第１条件、及び外気の湿度ｙが第３所定値γ以上であるという第２条件、の少なくとも１つが満たされた場合には、給気加湿ホース６ｃの端部に遮蔽板１１３が配置されることで（第３状態）、外気の室内機ケーシング２１内への導入が中止される場合について説明した。また、上記第２実施形態では、第１条件及び第２条件の少なくとも１つが満たされた場合には、第１及び第２切換ダンパ２１４ａ，２１４ｂによって両流路２０６ｃａ，２０６ｃｂが遮断されると説明した。しかし、上記第１条件または第２条件のいずれか１つが満たされた場合に外気の室内機ケーシング２１内への導入を中止する方法は、これに限定されない。外気の室内機ケーシング２１内への導入を中止する他の方法としては、給気・加湿ユニット５において、給気加湿ホース６ｃを介して室内機ケーシング２１へと流れる外気の流れ（図３，図９のＡ１）を生成する加湿ファン５３自体の駆動を停止させる方法が挙げられる。
【０１０８】
（ｃ）
上記第１及び第２実施形態では、室内機２付近に第１及び第２フィルタ１１１，１１２，２１１，２１２が配置されている場合について説明した。しかし、第１及び第２フィルタ１１１，１１２，２１１，２１２の位置はこれに限定されず、第１及び第２フィルタ１１１，１１２，２１１，２１２は室外機３側に配置されてもよい。
【０１０９】
また、上記第１実施形態における遮断板１１３の位置についても、室内機２側ではなく、室外機３側（更には、室外機３の内部）に設けられていても良い。同様に、上記第２実施形態における第１及び第２切り換えダンパ２１４ａ，２１４ｂの位置についても、各流路２０６ｃａ，２０６ｃｂのうち室外機３側に配置されていてもよい。
【０１１０】
更に、上記第１実施形態に係る物質検知用センサ１１０の位置についても、図５に示す位置に限定されるのではなく、外気が各フィルタ１１１，１１２を通過する前に検知できるのであれば、どの位置に設けられていても良い。
【０１１１】
（ｄ）
上記第１実施形態では、物質検知用センサ１１０が物質情報を検知する場合について説明したが、物質情報は、第２実施形態に示すように、通信ネットワークを介して外部装置から取得されてもよい。
【０１１２】
同様に、第２実施形態では、通信部２１０が通信ネットワーク２２０を介して外部装置２２１から物質情報を取得する場合について説明したが、物質情報は、第１実施形態に示すように、物質検知用センサが検知することによって取得されてもよい。
【０１１３】
（ｅ）
上記第１及び第２実施形態では、物質情報が所定物質の含有率ｘである場合を例に取り説明した。しかし、物質情報は、所定物質の含有率ｘではなく、所定物質の種類であってもよい。この場合、第１実施形態に係る物質検知用センサ１１０は、外気にどのような種類の物質が含まれているのかを検知し、切り換え制御部１１７は、センサ１１０によって検知された所定物質の種類に基づいて、第１及び第２フィルタ１１１，１１２の切り換え制御を行う。また、第２実施形態では、通信部２１０が、通信ネットワーク２２０を介して外部装置２２１から外気中における所定物質の種類を物質情報として取得すると、切り換え制御部２１７は、該種類に基づいて流路切換制御を行う。これにより、例えば、外気に含まれる物質が“花粉”であれば、外気は、花粉を除去できる程度の能力を有するフィルタ（第１フィルタ）を通過し、外気に含まれる物質が“大気汚染物質”であれば、外気は、花粉だけではなく大気汚染物質をも除去可能な比較的高い能力を有するフィルタ（第２フィルタ）を通過することになる。従って、外気は、外気中の所定物質の種類に応じたフィルタを通過することができるため、外気が所定物質の除去能力の高い第２フィルタを常に通過する場合に比して第２フィルタの長寿命化を図ることができ、フィルタの取り替えによるランニングコストを抑えることができる。また、室内機内部には、所定物質を含まない外気が導入されるようになる。
【産業上の利用可能性】
【０１１４】
本発明に係る空調機の外気導入装置は、外気が所定物質の除去能力の高い第２フィルタを常に通過する場合に比して第２フィルタの長寿命化を図ることができ、フィルタの取り替えによるランニングコストを抑えることができるという効果を有する。従って、本発明に係る外気導入装置は、空気調和装置や換気装置などの、外気を利用した空調運転を行うことができる空調機の外気導入装置として適用することができる。
【図面の簡単な説明】
【０１１５】
【図１】第１実施形態に係る空調機の外観図。
【図２】第１実施形態に係る室内機の内部の構造を模式的に示す図。
【図３】第１実施形態に係る冷媒回路及び給気・加湿ユニットの構成と、空気の流れとを示す図。
【図４】第１実施形態に係る外気導入装置の構成を模式的に示す図。
【図５】第１実施形態に係る給気加湿ホースの内部、接続状態、及びフィルタの配置状態の概念図。
【図６】外気中の所定物質の含有率と切り換え制御部によって切り換えられる状態との関係を表すグラフ。
【図７】第１実施形態に係る外気導入装置の一連の動作の流れを示すフロー図。
【図８】第２実施形態に係る外気導入装置の構成を模式的に示す図。
【図９】第２実施形態に係る給気加湿ホースの内部、接続状態、及びフィルタの配置状態の概念図。
【図１０】第２実施形態に係る外気導入装置の一連の動作の流れを示すフロー図。
【符号の説明】
【０１１６】
１  空調機
２  室内機
３  室外機
４  室外空調ユニット
５  給気・加湿ユニット
６ａ，６ｂ  冷媒配管
６ｃ  給気加湿ホース
２１  室内機ケーシング
１００  外気導入装置
１１０  物質検知用センサ
１１１  第１フィルタ
１１２  第２フィルタ
１１３  遮断板
１１４  フィルタ駆動部
１１５  制御部
１１６  取得部
１１７  切り換え制御部
２０６ｃａ  第１流路
２０６ｃｂ  第２流路
２１０  通信部
２１４ａ  第１切換ダンパ
２１４ｂ  第２切換ダンパ
２２０  通信ネットワーク
２２１  外部装置
【図１】
2010139190.tif 000003
【図２】
2010139190.tif 000004
【図３】
2010139190.tif 000005
【図４】
2010139190.tif 000006
【図５】
2010139190.tif 000007
【図６】
2010139190.tif 000008
【図７】
2010139190.tif 000009
【図８】
2010139190.tif 000010
【図９】
2010139190.tif 000011
【図１０】
2010139190.tif 000012